(57)【要約】【課題】操作者が意図した印象の画像を送信先の装置にて形成させるインターネットファクシミリ装置等の画像送信装置を提供する。【解決手段】画像送信装置では、送信すべきサイズの画像をシートから読み取り（ステップＳ１５）、読み取った画像に基づく画像データの送信先の装置にて形成させる画像のサイズを、操作者が入力したサイズに決定する（ステップＳ１８）。そして画像送信装置１では、読み取った画像に基づいて、決定したサイズの画像を形成させる画像データを作成し（ステップＳ２２）、作成した画像データを送信先の装置へ送信する（ステップＳ２３）。【選択図】        図１６
2004343250.tif 000002
【特許請求の範囲】
【請求項１】
画像の形成に用いる画像データを他の装置へ送信する画像送信装置において、
送信先の装置にて形成させる画像のサイズの入力を受け付ける手段と、
受け付けたサイズに、送信先の装置で形成させる画像のサイズを決定する決定手段と、
決定したサイズの画像を形成させる画像データを作成する作成手段と
を備えることを特徴とする画像送信装置。
【請求項２】
画像の形成に用いる画像データを他の装置へ送信する画像送信装置において、
送信先の装置にて形成させる画像のサイズの入力を受け付ける手段と、
受け付けたサイズに、送信先の装置で形成させる画像のサイズを決定する決定手段と、
送信すべき画像を読み取る読取手段と、
読み取った画像に基づいて、決定したサイズの画像を形成させる画像データを作成する作成手段と
を備えることを特徴とする画像送信装置。
【請求項３】
前記読取手段は、複数の画像を読み取るべくなしてあり、
前記作成手段は、読み取った複数の画像の夫々に基づいて、同一のサイズの画像を形成させる画像データを夫々作成すべくなしてある
ことを特徴とする請求項２に記載の画像送信装置。
【請求項４】
前記作成手段は、読み取った画像のサイズ及び決定した画像のサイズが異なる場合に、読み取った画像を拡大又は縮小することにより、決定したサイズの画像を形成させる画像データを作成すべくなしてあることを特徴とする請求項１乃至請求項３のいずれかひとつに記載の画像送信装置。
【請求項５】
画像データの送信先となる装置との通信を確立する手段を備え、
前記決定手段は、前記送信先の装置との通信を確立する前に、画像のサイズを決定すべくなしてある
ことを特徴とする請求項１乃至請求項４のいずれかひとつに記載の画像送信装置。
【請求項６】
作成した画像データを、パケット交換網を介して送信する手段を更に備えることを特徴とする請求項１乃至請求項５のいずれかひとつに記載の画像送信装置。
【請求項７】
画像の形成に用いる画像データを他の装置へ送信する画像送信装置において、
送信先の装置にて形成させる画像のサイズの入力を受け付ける手段と、
画像のサイズの入力を受け付けたか否かを判定する手段と、
送信すべき画像を読み取る手段と、
画像のサイズの入力を受け付けたと判定した場合に、送信先の装置で形成させる画像のサイズを、受け付けたサイズに決定し、画像のサイズの入力を受け付けていないと判定した場合に、送信先の装置で形成させる画像のサイズを、所定の方法にて決定する手段と、
読み取った画像に基づいて、決定したサイズの画像を形成させる画像データを作成する手段と
を備えることを特徴とする画像送信装置。
【発明の詳細な説明】
【０００１】
【発明の属する技術分野】
本発明は、画像の形成に用いる画像データを他の装置へ送信するインターネットファクシミリ装置等の画像送信装置に関し、特に操作者が意図した印象の画像を他の装置にて形成させる画像送信装置に関する。
【０００２】
【従来の技術】
原稿に示された画像をスキャナ等の読取手段にて読み取り、読み取った画像に基づく画像データを作成し、作成した画像データを他の装置へ送信するファクシミリ装置等の画像送信装置が普及している。
ファクシミリ装置等の画像送信装置では、電話回線網等の回線交換網を介して送信先のファクシミリ装置等の装置へ画像データを送信する形態で発展してきたが、最近ではインターネット等のパケット交換網を介して画像データを送信するインターネットファクシミリ等の機能が搭載されてきている。
またデジタル複写機の市場においても、ファクシミリ機能及びプリンタ機能等の様々な機能との複合化が進み、更にはＬＡＮ及びインターネット等の通信環境下に設置され、ネットワークプリンタ機能、ネットワークスキャナ機能及びインターネットファクシミリ機能等の様々な機能を備えるデジタル複合機として提供されている。
【０００３】
回線交換網を介して画像データを送信するファクシミリ装置等の画像送信装置では、シートに示された画像を読み取り作成した画像データを他の装置へ送信する場合、先ず送信先となる装置との間の通信を確立し、送信先となる装置からの応答に基づいて画像データの受信可能サイズを判別し、判別した受信可能サイズと読み取った画像のサイズとが異なる場合、読み取った画像を拡大又は縮小することにより、受信可能サイズの画像を形成させる画像データを作成し、作成した画像データを送信する（例えば特許文献１参照）。
【０００４】
【特許文献１】
特開昭６２−２１６４７５号公報
【０００５】
【発明が解決しようとする課題】
しかしながら特許文献１に示した従来の装置では、受信側の装置の仕様に応じて画像を変倍する倍率が自動的に決定されるため、送信側の画像送信装置を操作する操作者が意図した画像と異なる印象の画像が形成されるという問題があり、このため送信者の意図が受信者に十分に伝わらない可能性があるという問題をも含んでいる。
【０００６】
本発明は斯かる事情に鑑みてなされたものであり、画像データの受信側の装置にて形成させる画像のサイズを、送信側の画像送信装置を操作する操作者の手動による入力に基づいて決定することにより、送信側の操作者が意図した画像と同じ印象の画像を受信側の装置にて形成させることが可能な画像送信装置の提供を目的とする。
【０００７】
【課題を解決するための手段】
本発明の画像送信装置は、画像の形成に用いる画像データを他の装置へ送信する画像送信装置において、送信先の装置にて形成させる画像のサイズの入力を受け付ける手段と、受け付けたサイズに、送信先の装置で形成させる画像のサイズを決定する決定手段と、決定したサイズの画像を形成させる画像データを作成する作成手段とを備えることを特徴とする。
【０００８】
本発明の画像送信装置は、画像の形成に用いる画像データを他の装置へ送信する画像送信装置において、送信先の装置にて形成させる画像のサイズの入力を受け付ける手段と、受け付けたサイズに、送信先の装置で形成させる画像のサイズを決定する決定手段と、送信すべき画像を読み取る読取手段と、読み取った画像に基づいて、決定したサイズの画像を形成させる画像データを作成する作成手段とを備えることを特徴とする。
【０００９】
本発明の画像送信装置は、前記読取手段は、複数の画像を読み取るべくなしてあり、前記作成手段は、読み取った複数の画像の夫々に基づいて、同一のサイズの画像を形成させる画像データを夫々作成すべくなしてあることを特徴とする。
【００１０】
本発明の画像送信装置は、前記作成手段は、読み取った画像のサイズ及び決定した画像のサイズが異なる場合に、読み取った画像を拡大又は縮小することにより、決定したサイズの画像を形成させる画像データを作成すべくなしてあることを特徴とする。
【００１１】
本発明の画像送信装置は、画像データの送信先となる装置との通信を確立する手段を備え、前記決定手段は、前記送信先の装置との通信を確立する前に、画像のサイズを決定すべくなしてあることを特徴とする。
【００１２】
本発明の画像送信装置は、作成した画像データを、パケット交換網を介して送信する手段を更に備えることを特徴とする。
【００１３】
本発明の画像送信装置は、画像の形成に用いる画像データを他の装置へ送信する画像送信装置において、送信先の装置にて形成させる画像のサイズの入力を受け付ける手段と、画像のサイズの入力を受け付けたか否かを判定する手段と、送信すべき画像を読み取る手段と、画像のサイズの入力を受け付けたと判定した場合に、送信先の装置で形成させる画像のサイズを、受け付けたサイズに決定し、画像のサイズの入力を受け付けていないと判定した場合に、送信先の装置で形成させる画像のサイズを、所定の方法にて決定する手段と、読み取った画像に基づいて、決定したサイズの画像を形成させる画像データを作成する手段とを備えることを特徴とする。
【００１４】
本発明の画像送信装置では、シートに示された画像を読み取って、送信先となる他の装置へ送信する場合に、操作者の入力操作に基づいて、送信先の装置との通信を確立する前に送信先の装置にて形成させる画像のサイズを決定し、シートから読み取った画像に基づいて、決定したサイズの画像を形成させる画像データを作成し、インターネット等のパケット交換網を介して画像データを送信することにより、画像データの受信側の装置にて形成させる画像のサイズを操作者が決定することができるので、操作者が意図した印象の画像を送信先の装置にて形成させることが可能である。
【００１５】
また本発明の画像装置では、サイズが統一されていない複数の画像を送信する場合に、送信先の装置にて同一のサイズの画像を形成させる画像データを夫々作成することにより、送信先の装置ではサイズが統一された画像が形成されるので、画像の管理を効率化することが可能である。
【００１６】
【発明の実施の形態】
以下、本発明をその実施の形態を示す図面に基づいて詳述する。
図１は本発明の画像送信装置の外観を示す斜視図である。
図１中１はインターネットファクシミリ装置等の本発明の画像送信装置であり、画像送信装置１は直方体状をなしており、画像送信装置１の上部には、原稿台２が配設され、原稿台２は、原稿を載置する載置トレイ２１を有する板状をなし一端を開閉自在に枢支された開閉蓋２２を備え、開閉蓋２２により、載置トレイ２１に載置された原稿が送出されるガラス面が覆われている。
なお載置トレイ２１には原稿として載置されたシートのサイズを検出する図示しないサイズ検出部を備えている。
また画像送信装置１の上面における原稿台２の前方には、画像送信装置１を操作するためのインターフェースである操作部３が配設されている。
そして画像送信装置１の中央部から下部には、自らが作成した画像データ又は外部から受信した画像データに基づく出力処理として画像を形成させるためのコピー用紙等のシートを収容する給紙カセット４，４，…が、配設されている。
さらに画像送信装置１の左方には、画像が形成されたシートを排出する排出部５が配設されている。
また画像送信装置１の背面にはインターネット及びＬＡＮ（Ｌｏｃａｌ  Ａｒｅａ  Ｎｅｔｗｏｒｋ）等のパケット交換網ＮＷ１並びに電話回線網等の回線交換網ＮＷ２に接続する通信部（図示せず）が設けられており、第１通信網ＮＷ１及び／又は第２通信網ＮＷ２を介してインターネットファクシミリ装置、パーソナルコンピュータ及びファクシミリ装置等の外部の装置との通信を確立し、画像データ等の各種情報の送受信を行う。
【００１７】
図２は本発明の画像送信装置１が備える操作部３を示す外観図である。
操作部３の中央付近には、操作者の操作を受け付ける透明なタッチパネル等の入力部及びドットマトリックスタイプの液晶パネル等の表示部を組み合わせた入出力インターフェースである液晶表示部３１を有し、液晶表示部３１は、情報を表示することで操作者に対して情報を伝達し、また表示される画像により示される箇所を操作者が触れることで、画像送信装置１は操作を受け付ける。
液晶表示部３１の右方には、ファクシミリ番号及びＩＰアドレス等の数値を入力するための数字キー３２が配設されており、数字キー３２の右方上部には、実行中の処理を一時中断して他の処理を行うための割込キー３３が配設されており、また数字キー３２の右方下部には、液晶表示部３１に表示される数値のクリア及び処理の中断を行わせるためのクリアキー３４が配設されている。
さらに割込キー３３の右方には、操作者が入力した各種設定を標準状態の設定に戻すための全解除キー３５が配設されており、全解除キー３５の下方には、送信処理等の処理を開始させるためのスタートキー３６が配設されている。
また液晶表示部３１の左方には、プリンタ機能を呼び出すための切替キー３７ａ、インターネットファクシミリ及びファクシミリ（ファクス）等の画像データを送信する画像送信機能を呼び出すための切替キー３７ｂ及び複写（コピー）機能を呼び出すための切替キー３７ｃ並びに各種設定に用いられるユーザ設定キー３８が配設されている。
【００１８】
図３は本発明の画像送信装置１を用いた画像送信システムの構成を示すブロック図である。
画像送信システムは、本発明の画像送信装置１を備え、画像送信装置１はインターネット及びＬＡＮ等のパケット交換網ＮＷ１並びに電話回線網等の回線交換網ＮＷ２に接続されており、パケット交換網ＮＷ１及び回線交換網ＮＷ２には、画像送信装置１から送信される画像データの送信先となる外部の装置としてインターネットファクシミリ装置、ファクシミリ装置及びパーソナルコンピュータ等の画像受信装置２、２、…が接続されている。
画像送信装置１は、装置全体を制御するＣＰＵ等の機器制御部１０１及び機器制御部１０１により制御される各構成部に関する情報を管理する管理部１０２を備えており、機器制御部１０１は、管理部１０２に記録されている情報に基づいて装置全体を制御することにより、画像送信装置１はインターネットファクシミリ装置及びファクシミリ装置等の画像送信装置１として機能する。
なおパケット交換網ＮＷ１を介して画像データを送信する方法は、インターネットファクシミリだけでなく、画像を添付ファイルとして送信する電子メール及びＦＴＰ（Ｆｉｌｅ  Ｔｒａｎｓｆｅｒ  Ｐｒｏｔｏｃｏｌ）によるデータ通信等の各種の方法がある。
【００１９】
本発明の画像送信装置１は、原稿台１に載置された送信用の原稿となるシートに示された画像を読み取るＣＣＤ（Ｃｈａｒｇｅ  Ｃｏｕｐｌｅｄ  Ｄｅｖｉｃｅ）  等の読取素子１０３ａ及び読取素子１０３ａにより読み取る画像が示されている原稿のサイズを判定する原稿サイズ検出部１０３ｂを有する原稿読取部１０３を備え、原稿読取部１０３の処理により読み取った画像は、読取データとして画像形成部１０４へ送られる。
画像形成部１０４は、画像読取部１０３から受け付けた読取データに基づいて画像形成及び送信等の出力形式の画像データを作成し、また作成した出力形式の画像データを一時的に記憶するフラッシュメモリ等の揮発性記録部１０４ａを有しており、揮発性記録部１０４ａに記憶された出力形式の画像データは、ハードディスクを用いた不揮発性記録部１０５へ送られ、不揮発性記録部１０５では画像読取部１０３から受け付けた画像データを記録する。
なお複数枚の原稿を読み取る場合には、揮発性記録部１０４ａ上への出力形式の画像データの作成及び不揮発性記録部１０５への記録を繰り返すことにより、不揮発性記録部１０５に複数枚分の出力形式の画像データを蓄積する。
また不揮発性記録部１０５に記録された画像データは必要に応じて画像形成部１０４へ送られ、画像形成部１０４では不揮発性記録部１０５から受け付けた画像データを揮発性記録部１０４ａに記憶する。
また画像形成部１０４は、揮発性記録部１０４ａに記憶された画像データに基づいてシート上に画像形成して出力させる印字部１０４ｂ並びに給紙カセット４、４、…に収容されたシートの有無及びサイズ等のシートに関する情報を検出するシート検出部１０４ｃを有している。
【００２０】
さらに画像送信装置１は、パケット交換網ＮＷ１に接続する第１通信手段１０６ａ及び回線交換網ＮＷ２に接続する第２通信手段１０６ｂを有する通信部１０６を備えており、揮発性記録部１０４ａに記憶された画像データは通信部１０６からパケット交換網ＮＷ１又は回線交換網ＮＷ２を介して画像受信装置２へ送信され、また通信部１０６にて受信した画像データは画像形成部１０４へ送られ、画像形成部１０４が有する揮発性記録部１０４ａに記憶され、画像形成部１０４では印字部１０４ｂに記憶した画像データに基づいて印字部１０４ｂによりシート上に画像を形成し出力する。
また画像送信装置１は、液晶表示部３１を含む操作部３を制御する入出力制御部１０７として入力制御部１０７ａ及び表示制御部１０７ｂを備えている。
【００２１】
次に本発明の画像送信装置１の液晶表示部３１に表示される画面及び処理について説明する。
図４は本発明の画像送信装置１の液晶表示部３１に表示される画面を示す説明図である。
液晶表示部３１には、初期画面としてコピー機能に関する画面が表示されているが、画像送信機能を呼び出す切替キー３７ｂを押下することにより、図４に示すファクシミリによる画像データ送信のための画面が表示される。
図４に示す様にファクシミリによる画像データの送信のための画面には、濃度、画質及び原稿サイズ等の送信する画像データの設定に用いられる画像、オンフック及び再送信等の送信操作に用いられる画像、送信先を示すアドレス帳を呼び出す画像、並びに宛先一覧、特別機能、ファイリング、自動一時保存及びサブアドレス等の画像送信に関する各種機能を示す画像が示されている。
また画像送信に関する他のモードを呼び出すためのモード切替キーを示す画像が示されており、モード切替キーには現在のモードがファクシミリであることが示されている。
【００２２】
図５は本発明の画像送信装置１の液晶表示部３１に表示される画面を示す説明図である。
画像送信機能を呼び出す切替キー３７ｂを２回連続して押下することにより、またはモード切替キーを示す画像に触れてモードを切り替えることにより、図５に示す電子メール又はＦＴＰによる画像データの送信のための画面が表示される。
図５に示す様に電子メール又はＦＴＰによる送信のための画面には、濃度、解像度、フォーマット及び原稿サイズ等の送信する画像データの設定に用いられる画像、再送信等の送信操作に用いられる画像、モード切替キーを示す画像、送信先を示すアドレス帳を呼び出す画像、アドレスを直接入力するための画面を呼び出すための画像、並びに宛先一覧、特別機能、ファイリング、自動一時保存及び詳細設定等の画像送信に関する各種機能を示す画像が示されている。
【００２３】
図６は本発明の画像送信装置１の液晶表示部３１に表示される画面を示す説明図である。
画像送信機能を呼び出す切替キー３７ｂを３回連続して押下することにより、またはモード切替キーを示す画像に触れてモードを切り替えることにより、図６に示すインターネットファクシミリによる画像データの送信のための画面が示される。
図６に示す様にインターネットファクシミリによる画像データの送信のための画面には、濃度、画質及び原稿サイズ等の送信する画像データの設定に用いられる画像、再送信等の送信操作に用いられる画像、モード切替キーを示す画像、送信先を示す送信先情報を記録したアドレス帳を呼び出す画像、アドレスを直接入力するための画面を呼び出すための画像、並びに宛先一覧、特別機能、ファイリング、自動一時保存及び詳細設定等の画像送信に関する各種機能を示す画像が示されている。
【００２４】
図７は本発明の画像送信装置１の液晶表示部３１に表示される画面を示す説明図である。
図４、図５及び図６に示された状態から濃度の設定に用いられる画像に触れることにより、図７に示す濃度設定の画面が示される。
図７に示す様に濃度の設定には自動と手動とが有り、自動と示された画像に触れることにより、自動的に濃度設定が行われ、また手動と示された画像に触れることにより、数段階に分級された濃度を設定することが可能であり、ＯＫと示された画像に触れることにより濃度の設定が完了する。
【００２５】
図８は本発明の画像送信装置１の液晶表示部３１に表示される画面を示す説明図である。
図５に示された状態から解像度の設定に用いられる画像に触れることにより、図８に示す解像度設定の画面が示される。
図８に示す様に解像度の設定は、２００×１００、２００×２００、２００×４００、４００×４００及び６００×４００の中から所望する解像度を示す画像に触れることにより、解像度を設定することが可能であり、ＯＫと示された画像に触れることにより解像度の設定が完了する。
【００２６】
図９は本発明の画像送信装置１の液晶表示部３１に表示される画面を示す説明図である。
図５に示された状態からフォーマットと示された画像に触れることにより、図９に示す電子メール又はＦＴＰにより送信するファイルの形式及び圧縮形式を設定するフォーマット設定の画面が示される。
図９に示す様に送信するファイルの形式は、ＰＤＦ、ＴＩＦＦ及びＴＩＦＦ−Ｔの中から所望するファイルの形式を示す画像に触れることにより、送信するファイルの形式を設定することが可能であり、複数の宛先に夫々異なる形式で送信する場合には、宛先毎設定と示された画像に触れることにより、宛先毎にファイルの形式を設定することができる。
また圧縮形式は、圧縮無し、ＭＨ（Ｇ３）及びＭＭＲ（Ｇ４）の中から所望する圧縮形式を示す画像に触れることにより、圧縮形式を設定することが可能であり、複数の宛先に夫々異なる圧縮形式で送信する場合には、宛先毎設定と示された画像に触れることにより、宛先毎に圧縮形式を設定することができる。
また複数の画像を送信する場合に、ページ毎にファイル化すると示された画像に触れることにより、夫々の画像を異なるファイルとした画像データを作成し、送信することができる。
【００２７】
図１０は本発明の画像送信装置１の液晶表示部３１に表示される画面を示す説明図である。
図５に示された状態から原稿サイズと示された画像に触れることにより、図１０に「読取」として示された送信すべき画像のサイズ及び「送信」として示された送信先の装置にて形成させる画像のサイズの設定、並びに送信形式の設定の画面が示される。
送信すべき画像のサイズとは、読取原稿のサイズを示し、図１０に示す例では自動となっているため、画像の読取時に自動的に原稿のサイズが検出され、検出された原稿のサイズが送信すべき画像のサイズとなる。
送信先の装置にて形成させる画像のサイズとは、送信先の装置から出力させる画像のサイズを示し、図１０に示す例では自動となっているため、送信すべき画像のサイズと同等の大きさのサイズになる。
また夫々のサイズの設定を示す画像の間には矢印が示されており、矢印の上方には送信すべき画像のサイズを、送信先の装置にて形成させる画像のサイズに変換する場合の変換倍率、図１０に示す例では１００％が示されている。
ここでいう送信形式とは、両面原稿横綴じ、両面原稿縦綴じ及び済スタンプ等の形式であり、これらの画像に触れることにより、送信先の装置にて指定された形式で加工した画像を形成させることが可能となる。
【００２８】
図１１は本発明の画像送信装置１の液晶表示部３１に表示される画面を示す説明図である。
図１０に示された状態から読取原稿のサイズについて自動と示された画像に触れることにより、図１１に示す画像が示される。
図１１では原稿のサイズを自動又は手動から選択するための画像、そして手動を選択した場合に読取原稿のサイズを選択するための画像が示されている。
手動で選択する読取原稿のサイズとしてはＡ５版、Ａ５Ｒ版（Ａ５版の縦置き）、Ｂ５版、Ｂ５Ｒ版（Ｂ５版の縦置き）、Ａ４版、Ａ４Ｒ版（Ａ４版の縦置き）、Ｂ４版及びＡ３版がある。
なおインチサイズで示されるＡＢ版以外の規格に基づくサイズを指定することも可能である。
そして手動を選択した場合には、ＯＫと示された画像に触れることにより第１サイズの設定が完了する。
【００２９】
図１２は本発明の画像送信装置１の液晶表示部３１に表示される画面を示す説明図である。
図１０に示された状態から送信先の装置にて形成させる画像のサイズについて自動と示された画像に触れることにより、図１２に示す画像が示される。
図１２では送信先の装置にて形成させる画像のサイズを自動又は手動から選択するための画像、そして手動を選択した場合に送信先の装置にて形成させる画像のサイズを選択するための画像が示されている。
手動で選択する画像のサイズとしてはＡ５版、Ａ５Ｒ版、Ｂ５版、Ｂ５Ｒ版、Ａ４版、Ａ４Ｒ版、Ｂ４版及びＡ３版がある。
なおインチサイズで示されるＡＢ版以外の規格に基づくサイズを指定することも可能である。
そして手動を選択した場合には、ＯＫと示された画像に触れることにより第２サイズの設定が完了する。
【００３０】
図１３は本発明の画像送信装置１の液晶表示部３１に表示される画面を示す説明図である。
図１１又は図１２に示された状態から自動を選択することにより、又は手動を選択しＯＫと示された画像に触れることにより、図１３に示す画像が示される。
図１３に示す例では、送信すべき画像のサイズが自動でＡ４版に設定され、送信先の装置にて形成させる画像のサイズが手動でＡ３版に設定されたことが示されており、Ａ４版の画像のサイズをＡ３版の画像のサイズに変換する時の倍率として１４１％という数値が示されている。
【００３１】
図１４は本発明の画像送信装置１が備える変換倍率テーブルの記録内容を概念的に示す説明図である。
画像送信装置１は、原稿から読み取ったサイズの画像を送信先の装置にて形成させるサイズの画像に変換するときの倍率が示された変換倍率テーブルを、不揮発性記録部１０５に記録しており、画像のサイズを変換する場合に変換倍率テーブルに基づき変換倍率が決定される。
変換倍率テーブルには、送信すべき画像のサイズであるＡ３、Ｂ４及びＡ４等の原稿のサイズと、送信先の装置にて形成させるＡ３、Ｂ４及びＡ４等の画像のサイズとが対応付けたマトリックスとして示されている。
例えば図１４中に点線にて例示する様に、読み取った画像のサイズがＡ４版で、送信先の装置にて形成させる画像のサイズがＡ３版である場合に、変換倍率は１４１％となることが変換倍率テーブルより読み取れる。
【００３２】
次に本発明の画像送信装置１の処理について説明する。
図１５及び図１６は本発明の画像送信装置１の処理を示すフローチャートである。
画像送信装置１では、機器制御部１０１の制御により、載置トレイ２１に原稿としてシートが載置されているか否かを判別し（ステップＳ１）、シートが載置されていると判定した場合（ステップＳ１：ＹＥＳ）、載置トレイ２１が備えるサイズ検出部により、載置トレイ２１に載置されたシートのサイズを検出する（ステップＳ２）。
ステップＳ１において、載置トレイ２１にシートが載置されていないと判定した場合（ステップＳ１：ＮＯ）、液晶表示部３１に原稿の載置を要求するメッセージを表示して（ステップＳ３）、ステップＳ１に戻り、以降の処理を繰り返す。
なお載置トレイ２１にシートが載置されない状態が所定時間続くと、画像送信装置１は待機モードとなる。
【００３３】
画像送信装置１では、機器制御部１０１の制御により、画像データの送信先となる画像受信装置２に関するＩＰアドレス及び電子メールアドレス等の送信先情報の入力を、液晶表示部３１及び数字キー３２等の操作部３から受け付け（ステップＳ４）、受け付けた送信先情報を送信先として設定する（ステップＳ５）。
【００３４】
画像送信装置１では、機器制御部１０１の制御により、画像のサイズの入力を受け付け（ステップＳ６）、受け付けたサイズに基づく送信形式を設定する（ステップＳ７）。
なおステップＳ７にて送信形式として設定するサイズとは、原稿から読み取る送信すべき画像のサイズ及び送信先の装置にて形成させる画像のサイズの両方又はいずれか一方を示す。
また画像のサイズの入力は必ずしも行う必要はなく、画像のサイズを入力せずに画像データの作成指示を行うようにしても良い。
【００３５】
画像送信装置１では、機器制御部１０１の制御により、画像データ作成指示の入力を受け付けたか否かの判定を行い（ステップＳ８）、スタートキー３６の押下による画像データ作成指示の入力を受け付けていると判定した場合（ステップＳ８：ＹＥＳ）、載置トレイ２１に載置されたシートを原稿台１へ送出する（ステップＳ９）。
なおステップＳ９における送出は、載置トレイ２１に複数のシートが載置されている場合であっても一枚ずつ行われる。
また載置トレイ２１に原稿となるシートを載置するのではなく、原稿台１に直接シートを載置するようにしても良い。
ステップＳ８において画像データ作成指示の入力を受け付けていないと判定した場合（ステップＳ８：ＮＯ）、所定時間経過後、再度ステップＳ８の処理を行う。
【００３６】
画像送信装置１では、機器制御部１０１の制御により、原稿台１へ送出されたシートのサイズを原稿サイズ検出部１０３ｂにより検出し（ステップＳ１０）、原稿サイズ検出部１０３ｂにより検出したシートのサイズとステップＳ２にて検出したサイズとが一致するか否かを判定し（ステップＳ１１）、サイズが一致しないと判定した場合（ステップＳ１１：ＮＯ）、液晶表示部３１にシートのサイズの入力を要求し（ステップＳ１２）、要求に対して入力されたシートのサイズを示す情報を受け付ける（ステップＳ１３）。
ステップＳ１１による判定は、サイズの異なる複数枚のシートの載置及びシートの折れ等の理由によりシートのサイズを誤検出しているか否かを判定する処理である。
ステップＳ１１にてサイズが一致したと判定した場合（ステップＳ１１：ＹＥＳ）、ステップＳ１２〜Ｓ１３に示す処理は行われない。
【００３７】
そして画像送信装置１では、機器制御部１０１の制御により、画像データとして送信すべき画像のサイズを決定し（ステップＳ１４）、決定したサイズの画像が示されたシートから、送信すべきサイズの画像を読取素子１０３ａにより読み取り（ステップＳ１５）、載置トレイ２１に載置された全てのシートについて読み取りが完了したか否かを判定し（ステップＳ１６）、読み取りが完了していないシートが有ると判定した場合（ステップＳ１６：ＮＯ）、ステップＳ９へ戻り、以降の処理を繰り返す。
なお読み取られた画像は読取データとして画像形成部１０４へ送られる。
ステップＳ１４においては、ステップＳ６にて送信すべき画像のサイズの入力を受け付けステップＳ７にて設定している場合には、設定されているサイズを送信すべき画像のサイズとして決定し、ステップＳ６にて送信すべき画像のサイズの入力を受け付けていない場合で、ステップＳ１１にてサイズが一致していると判定したときには、ステップＳ１０にて検出したサイズを、送信すべき画像のサイズとして決定し、ステップＳ６にて送信すべき画像のサイズの入力を受け付けていない場合で、ステップＳ１１にてサイズが一致していないと判定したときには、ステップＳ１３にて受け付けたサイズを、送信すべき画像のサイズとして決定する。
【００３８】
ステップＳ１６において、載置トレイ２１に載置された全てのシートについて読取が完了したと判定した場合（ステップＳ１６：ＹＥＳ）、画像送信装置１では、機器制御部１０１の制御により、ステップＳ６にて送信先の装置にて形成させる画像のサイズの入力を受け付け、ステップＳ７にて受け付けたサイズに基づき送信形式の設定をしているか否かを判定し（ステップＳ１７）、画像のサイズの入力を受け付けて設定していると判定した場合（ステップＳ１７：ＹＥＳ）、受け付けたサイズに、読み取った画像に基づく画像データの送信先の装置、ここでは画像受信装置２にて形成させる画像のサイズを決定する（ステップＳ１８）。
即ち画像受信装置２にて形成させる画像のサイズが、ステップＳ６にて入力されたサイズに決定される。
なお載置トレイ２１に複数のシートが載置されて送信すべき画像が複数である場合でも、画像データの送信先の装置である画像受信装置２にて形成させる夫々の画像のサイズは同一のサイズに決定される。
【００３９】
ステップＳ１７において、画像のサイズの入力を受け付けていないと判定した場合（ステップＳ１７：ＮＯ）、画像送信装置１では、機器制御部１０１の制御により、画像データの送信先の装置である画像受信装置２にて形成させる画像のサイズを、所定の方法にて決定する（ステップＳ１９）。
ステップＳ１９にてサイズを決定する所定の方法としては、例えば送信すべき画像のサイズ、即ちシートのサイズを、画像受信装置２にて形成させる画像のサイズとして決定する方法が挙げられる。
【００４０】
そして画像送信装置１では、機器制御部１０１の制御により、ステップＳ５にて送信先として設定した送信先情報に基づいて、画像送信先の装置となる他の装置、ここでは画像受信装置２とのパケット通信網ＮＷ１を介した通信を確立する（ステップＳ２０）。
即ち画像受信装置２にて形成させる画像のサイズの決定は、画像受信装置２との通信を確立する前に行われる。
これは回線交換網ＮＷ２を介して通信を確立する従来のファクシミリ装置が、先ず送信先となる装置との間の通信を確立した後、送信先となる装置からの応答に基づいて画像データの受信可能サイズを判別し、判別した結果に基づいて形成させる画像のサイズを決定することと大きく異なる。
【００４１】
そして画像送信装置１では、機器制御部１０１の制御により、不揮発性記録部１０５に記録されている変換倍率テーブルの記録内容から変換倍率を読み取り（ステップＳ２１）、読み取った変換倍率に従い、ステップＳ１５にて読み取った画像に基づいて、ステップＳ１８又はＳ１９にて決定したサイズの画像を形成させる画像データを作成する（ステップＳ２２）。
ステップＳ２２にて変換倍率に従う画像データの作成とは、読み取った画像のサイズ及び決定した画像のサイズが異なる場合に、読み取った画像を拡大又は縮小することにより、決定したサイズの画像を形成させる画像データを作成することを示す。
なおステップＳ１５にて読み取った画像が複数である場合、ステップＳ１８では同一のサイズに決定されるので、ステップＳ２２では、読み取った複数の画像の夫々に基づいて、同一のサイズの画像を形成させる画像データを夫々作成する。
ただし形成される画像がステップＳ１９にて所定の方法で決定された場合、読み取った画像のサイズが統一されていないときには、必ずしも同一のサイズの画像が形成されるとは限らない。
【００４２】
ステップＳ２２にて作成された画像データは、揮発性記録部１０４ａに記憶され、揮発性記録部１０４ａに記憶された画像データは逐次不揮発性記録部１０５へ送られて不揮発性記録部１０５に記録され、全てのシートに対応する画像データが不揮発性記録部１０５に記録された段階で画像データを作成する処理が終了する。
【００４３】
そして画像送信装置１では、機器制御部１０１の制御により、不揮発性記録部１０５に記録された画像データを揮発性記録部１０４ａに記憶させ、揮発性記録部１０４ａに記憶させた画像データを第１通信手段１０６ａからパケット交換網ＮＷ１を介して、送信先情報により示される画像データの送信先の装置である画像受信装置２へ、画像データを送信する（ステップＳ２３）。
画像受信装置２では、画像データを受信し、受信した画像データに基づいて、コピー用紙等の第２サイズのシートに画像形成を行い出力する。
なお画像受信装置２がパーソナルコンピュータである場合には、シート上に画像形成を行うのではなく、モニタ等の表示手段に、画像データに基づく画像を表示する画像形成処理を行うようにしても良い。
【００４４】
図１７は本発明の画像送信装置１にて読み取った画像及び該画像に基づき作成される画像データに基づいて形成される画像を示す説明図である。
図１７では、ステップＳ１５にてＡ４版サイズの画像を読み取り、ステップ１８にて形成する画像のサイズをＡ３版サイズに決定した場合についての状況を示している。
図１７に例示するようにＡ４版サイズの画像を複数読み取り、画像データが作成され、これら全てに１４１％の倍率で拡大する変倍が行われてＡ３版サイズの画像として形成される。
なお決定されるＡ３版サイズというのは、画像送信装置１を操作する操作者が入力したものであり、このように本発明の画像送信装置１では、操作者が意図したサイズの画像を画像受信装置２にて形成させることが可能である。
【００４５】
図１８は本発明の画像送信装置１にて読み取った画像及び該画像に基づき作成される画像データに基づいて形成される画像を示す説明図である。
図１８では、ステップＳ１５にてＡ４版サイズの画像を読み取り、ステップＳ１９にて所定方法、ここでは画像の変倍を行わずにＡ４版サイズに決定した場合についての状況を示している。
図１８に例示するようにＡ４番サイズの画像を複数読み取り、画像データが作成され、これらは変倍されていないため、全てＡ４版サイズの画像として形成される。
決定されるＡ４版サイズは、ステップＳ１９にて所定方法に基づき自動的に決定されたサイズであり、必ずしも操作者が意図したサイズとは限らない。
【００４６】
図１９は本発明の画像送信装置にて読み取った画像及び該画像に基づき作成される画像データに基づいて形成される画像を示す説明図である。
図１９では、ステップＳ１５にてＡ４版サイズとＢ５版サイズとが混載した画像を読み取り、ステップＳ１８にて形成する画像のサイズをＡ３版サイズに決定した場合についての状況を示している。
図１９に例示するようにＡ４版サイズとＢ５版サイズとが混載されている画像を読み取った場合であっても、形成される画像はＡ３版サイズに統一されているため、画像受信装置２にてシート上に画像形成された複数の画像はサイズが統一されており、効率的に整理することが可能となる。
【００４７】
図２０は本発明の画像送信装置にて読み取った画像及び該画像に基づき作成される画像データに基づいて形成される画像を示す説明図である。
図２０では、ステップＳ１５にてＡ４版サイズとＢ５版サイズとが混載した画像を読み取り、ステップＳ１９にて所定方法、ここでは画像の変倍を行わずに夫々の画像毎に決定した場合についての状況を示している。
図２０に例示するように形成される画像は、夫々読み取った画像のサイズに依存するため、形成される夫々の画像のサイズは統一されていない。
【００４８】
前記実施の形態では、シートから読取素子１０３により画像を読み取り、読み取った画像に基づいて画像データを作成する形態を示したが、本発明はこれに限らず、画像送信装置１にて形成された画像のデータ又は他の装置から受信した画像のデータに基づいて、夫々の画像のサイズと画像受信装置２へ送信すべき画像のサイズとを比較し、送信すべき画像データを作成するようにしても良い。
【００４９】
【発明の効果】
以上詳述した如く本発明に係る画像送信装置では、シートに示された画像を読み取って、送信先となる他の装置へ送信する場合に、操作者の入力操作に基づいて、他の装置との通信を確立する前に送信先の装置にて形成させる画像のサイズを決定し、シートから読み取った画像に基づいて、決定したサイズの画像を形成させる画像データを作成し、インターネット等のパケット交換網を介して画像データを送信することにより、画像データの受信側の装置にて形成させる画像のサイズを操作者が決定することができるので、操作者が意図した印象の画像を送信先の装置にて形成させることが可能である等、優れた効果を奏する。
【図面の簡単な説明】
【図１】本発明の画像送信装置の外観を示す斜視図である。
【図２】本発明の画像送信装置が備える操作部を示す外観図である。
【図３】本発明の画像送信装置を用いた画像送信システムの構成を示すブロック図である。
【図４】本発明の画像送信装置の液晶表示部に表示される画面を示す説明図である。
【図５】本発明の画像送信装置の液晶表示部に表示される画面を示す説明図である。
【図６】本発明の画像送信装置の液晶表示部に表示される画面を示す説明図である。
【図７】本発明の画像送信装置の液晶表示部に表示される画面を示す説明図である。
【図８】本発明の画像送信装置の液晶表示部に表示される画面を示す説明図である。
【図９】本発明の画像送信装置の液晶表示部に表示される画面を示す説明図である。
【図１０】本発明の画像送信装置の液晶表示部に表示される画面を示す説明図である。
【図１１】本発明の画像送信装置の液晶表示部に表示される画面を示す説明図である。
【図１２】本発明の画像送信装置の液晶表示部に表示される画面を示す説明図である。
【図１３】本発明の画像送信装置の液晶表示部に表示される画面を示す説明図である。
【図１４】本発明の画像送信装置が備える変換倍率テーブルの記録内容を概念的に示す説明図である。
【図１５】本発明の画像送信装置の処理を示すフローチャートである。
【図１６】本発明の画像送信装置の処理を示すフローチャートである。
【図１７】本発明の画像送信装置にて読み取った画像及び該画像に基づき作成される画像データに基づいて形成される画像を示す説明図である。
【図１８】本発明の画像送信装置にて読み取った画像及び該画像に基づき作成される画像データに基づいて形成される画像を示す説明図である。
【図１９】本発明の画像送信装置にて読み取った画像及び該画像に基づき作成される画像データに基づいて形成される画像を示す説明図である。
【図２０】本発明の画像送信装置にて読み取った画像及び該画像に基づき作成される画像データに基づいて形成される画像を示す説明図である。
【符号の説明】
１  画像送信装置
１０１  機器制御部
１０２  管理部
１０３  原稿読取部
１０４  画像形成部
１０５  不揮発性記録部
１０６  通信部
１０７  入出力制御部
２  画像受信装置
ＮＷ１  パケット交換網
ＮＷ２  回線交換網
【図１】
2004343250.tif 000003
【図２】
2004343250.tif 000004
【図３】
2004343250.tif 000005
【図４】
2004343250.tif 000006
【図５】
2004343250.tif 000007
【図６】
2004343250.tif 000008
【図７】
2004343250.tif 000009
【図８】
2004343250.tif 000010
【図９】
2004343250.tif 000011
【図１０】
2004343250.tif 000012
【図１１】
2004343250.tif 000013
【図１２】
2004343250.tif 000014
【図１３】
2004343250.tif 000015
【図１４】
2004343250.tif 000016
【図１５】
2004343250.tif 000017
【図１６】
2004343250.tif 000018
【図１７】
2004343250.tif 000019
【図１８】
2004343250.tif 000020
【図１９】
2004343250.tif 000021
【図２０】
2004343250.tif 000022